(57)【要約】【課題】冷媒の凝縮性能と凝縮した冷媒の流通性能をバランス良く併せ持ち、しかも凝縮器を作製する際に、取り付け方向を気にする必要がない組み立て作業性に優れた伝熱管を提供することを目的とする。【解決手段】外界流体にさらされ、内部を流れる冷媒を相変化させることにより外界流体と冷媒との間で熱交換を行う伝熱管であって、伝熱管の内表面に、冷媒の流れ方向に凝縮した冷媒が集流される複数の親水性の集流部と、凝縮した冷媒の濡れ広がりを防止して集流部へ移動させる複数の撥水部と、を有し、集流部及び撥水部が、伝熱管の周方向に交互に配置されている。【選択図】図１
2007333222.tif 000002
【特許請求の範囲】
【請求項１】
外界流体にさらされ、内部を流れる冷媒を相変化させることにより前記外界流体と前記冷媒との間で熱交換を行う伝熱管であって、前記伝熱管の内表面に、前記冷媒の流れ方向に凝縮した前記冷媒が集流される複数の親水性の集流部と、凝縮した前記冷媒の濡れ広がりを防止して前記集流部へ移動させる複数の撥水部と、を有し、前記集流部及び前記撥水部が、前記伝熱管の周方向に交互に配置されていることを特徴とする伝熱管。
【請求項２】
前記集流部が、前記伝熱管の軸方向に沿って一方の端から他方の端まで繋がって形成された主流部と、前記主流部の一側部又は両側部に延設して形成された１以上の副流部と、を有することを特徴とする請求項１に記載の伝熱管。
【請求項３】
前記副流部が、直線状に傾斜して形成されていることを特徴とする請求項２に記載の伝熱管。
【請求項４】
前記副流部が、曲線状に形成されていることを特徴とする請求項２に記載の伝熱管。
【請求項５】
前記副流部が、前記主流部に傾斜して延設された傾斜部と、前記傾斜部に延設され前記主流部に平行に形成された平行部と、を有することを特徴とする請求項２に記載の伝熱管。
【請求項６】
前記主流部の上流側と、前記副流部と、のなす角度が、鋭角であることを特徴とする請求項１乃至５の内いずれか１項に記載の伝熱管。
【請求項７】
前記主流部が、管軸方向に平行な直線形状に形成されていることを特徴とする請求項１乃至６の内いずれか１項に記載の伝熱管。
【請求項８】
前記主流部が、波線形状に形成されていることを特徴とする請求項１乃至６の内いずれか１項に記載の伝熱管
【請求項９】
前記主流部が、螺旋形状に形成されていることを特徴とする請求項１乃至６の内いずれか１項に記載の伝熱管。
【請求項１０】
前記集流部が、前記伝熱管の内表面の周方向に少なくとも３本形成されていることを特徴とする請求項１乃至９の内いずれか１項に記載の伝熱管。
【請求項１１】
前記撥水部が、撥水膜で形成されていることを特徴とする請求項１乃至１０の内いずれか１項に記載の伝熱管。
【請求項１２】
前記集流部が、親水膜で形成されていることを特徴とする請求項１１に記載の伝熱管。
【請求項１３】
前記集流部を形成する前記親水膜及び前記撥水部を形成する前記撥水膜が、それぞれ０．１μｍ〜０．５μｍの膜厚を有することを特徴とする請求項１１又は１２に記載の伝熱管。
【請求項１４】
前記撥水膜及び前記親水膜の少なくともいずれか一方が、シリコーンレジン系の材料で形成されていることを特徴とする請求項１２に記載の伝熱管。
【請求項１５】
伝熱管の内表面に、冷媒の流れ方向に凝縮した前記冷媒が集流される親水性の集流部と、凝縮した前記冷媒を撥水する撥水部と、を有する伝熱管の製造方法であって、前記伝熱管の内表面に前記集流部のパターンを有する凸型のマスクを押し当てる集流部マスキング工程と、前記伝熱管の内表面の前記マスク以外の部分に撥水膜を形成する撥水部形成工程と、を有することを特徴とする伝熱管の製造方法。
【請求項１６】
前記伝熱管の内表面に前記撥水部のパターンを有する凸型のマスクを押し当てる撥水部マスキング工程と、前記伝熱管の内表面の前記マスク以外の部分に親水膜を形成する集流部形成工程と、を有することを特徴とする請求項１５に記載の伝熱管の製造方法。
【請求項１７】
前記集流部マスキング工程又は前記撥水部マスキング工程が、前記伝熱管よりも小さな管径を有し１つ以上の前記凸型のマスクが半径方向に摺動自在に保持されたマスク保持具を前記伝熱管の内部に挿通するマスク挿通工程と、前記マスク保持具の中空部に前記マスク保持具の内径よりも外径の小さな押圧部材を挿通し前記凸型のマスクを前記伝熱管の内表面に押し当てて密着させるマスク密着工程と、を備えたことを特徴とする請求項１５又は１６に記載の伝熱管の製造方法。
【請求項１８】
請求項１乃至１４の内いずれか１項に記載の複数の伝熱管と、前記伝熱管の外表面に配設されたフィンと、を備えたことを特徴とする凝縮器。
【発明の詳細な説明】
【技術分野】
【０００１】
本発明は、宇宙用、工業用、家庭用の電子素子等を冷却するための冷却装置における蒸発器や凝縮器等の熱交換器用の伝熱管に係り、特に凝縮器の伝熱管として使用する際に、冷媒の凝縮性能と凝縮した冷媒の流通性能とを向上させ得る熱交換器用の伝熱管とその製造方法、並びにその伝熱管を用いた凝縮器に関するものである。
【背景技術】
【０００２】
従来より宇宙用、工業用、家庭用の電子素子等を冷却するための冷却装置における蒸発器や凝縮器等の熱交換器では、複数の伝熱管がそれぞれ平行に配管されて取り付けられており、それら複数の伝熱管内に、伝熱流体としての冷媒を流通させる一方、各伝熱管の外面には空気や水等の被冷却流体や冷却液等を接触させることにより、それら冷媒と被冷却流体もしくは冷却液等との間で熱交換が行われる。
【０００３】
そして、このような熱交換器に取り付けられる伝熱管としては、一般にその外面に複数のフィンが装着される一方、その内面には管軸方向に延びる溝部と山部とが管周方向に交互に位置するように形成された構造のものが採用されている。それによって被冷却流体や冷却液の伝熱管に対する接触面積を効率的に増大させるとともに、冷媒が溝部に沿って伝熱管内を流通し、その結果伝熱管の熱伝達率の向上、ひいては熱交換器自体の熱交換効率の向上が図られている。
【０００４】
このような構成の熱交換器用の伝熱管、特に凝縮器用の伝熱管において、冷媒の蒸気を効率よく凝縮させるには、凝縮した冷媒があまり広範囲に濡れ広がらず、速やかに流動して常に乾いた面が存在していることが望ましく、また凝縮した冷媒が伝熱管を閉塞することなく効率よく流通するためには、薄い液膜となって濡れ広がるようになっていることが望ましい。
【０００５】
一方、近年の電子素子等の小型化の影響もあり、パソコンなどの筐体も小型化が図られ、さらには電子素子等を冷却するための冷却装置の小型化とともに、冷却装置の取り付けの際の自由度が要求されており、熱交換器用の伝熱管に対しても、特に凝縮器の伝熱管として使用する際に、冷媒の凝縮性能と凝縮した冷媒の流通性能をバランス良く併せ持つことが要求されている。
【０００６】
これらの要求に応えるために、例えば（特許文献１）には、「伝熱管内面の上部を親水性表面とし、下部を撥水性表面とした伝熱管」が開示されている。
【０００７】
また、（特許文献２）には、「管内面に、管軸方向に延びる溝部と山部とが管周方向に交互に位置するように形成されてなる、管内に伝熱流体が流通せしめられる熱交換器用の伝熱管にして、前記溝部と前記山部とが異なる親水性を有し、且つ該溝部の親水性が該山部の親水性よりも大ならしめられていることを特徴とする熱交換器用伝熱管」が開示されている。
【特許文献１】特開平６−１４７７８４号公報
【特許文献２】特開平８−１３６１７８号公報
【発明の開示】
【発明が解決しようとする課題】
【０００８】
しかしながら、上記従来の技術においては、以下のような課題を有していた。
【０００９】
（１）（特許文献１）の伝熱管を特に凝縮器の伝熱管として使用する際に、冷媒の凝縮性能と凝縮した冷媒の流通性能とをともに有効に発揮させる上で、その撥水性表面が上側に、親水性表面が下側になるように取り付ける必要があるため、凝縮器に組み付ける際に親水側と撥水側の面の確認作業が必要であり、組み立て作業性に欠けるという課題を有していた。
【００１０】
また、完成した凝縮器の取り付け方向も制約されてしまうため、取り付けの自由度がなく、設置自在性に欠けるという課題を有していた。
【００１１】
（２）（特許文献２）の熱交換器用伝熱管は、親水性が互いに異なる溝部と山部が、管周方向に交互に形成されているが、溝部と山部はともに親水性であるため、冷媒の凝縮性能と凝縮した冷媒の流通性能のバランスが不十分であるという課題を有していた。
【００１２】
また、管周方向に交互に溝部と山部を形成しなければならないため、内面が平滑な管に比べて製造工数が増え、量産性に欠けるという課題を有していた。
【００１３】
本発明は上記従来の課題を解決するもので、冷媒の凝縮性能と凝縮した冷媒の流通性能をバランス良く併せ持ち、しかも凝縮器を作製する際に、取り付け方向を気にする必要がない組み立て作業性に優れた伝熱管の提供、冷媒の凝縮性能と凝縮した冷媒の流通性能をバランス良く併せ持つために必要な集水部及び撥水部を伝熱管内部に任意の形状で容易に形成することができる量産性に優れた伝熱管の製造方法の提供、並びに冷媒の凝縮性能と凝縮した冷媒の流通性能をバランス良く併せ持つ伝熱管を用いて、その外表面にフィンを取り付けることにより、電子機器等に取り付ける際に、取り付け方向の制約を受け難く、設置自在性に優れた凝縮器の提供を目的とする。
【課題を解決するための手段】
【００１４】
上記課題を解決するために、本発明の伝熱管は、外界流体にさらされ、内部を流れる冷媒を相変化させることにより前記外界流体と前記冷媒との間で熱交換を行う伝熱管であって、前記伝熱管の内表面に、前記冷媒の流れ方向に凝縮した前記冷媒が集流される複数の親水性の集流部と、凝縮した前記冷媒の濡れ広がりを防止して前記集流部へ移動させる複数の撥水部と、を有し、前記集流部及び前記撥水部が、前記伝熱管の周方向に交互に配置されている構成を有している。
【００１５】
これにより、冷媒の凝縮性能と凝縮した冷媒の流通性能をバランス良く併せ持ち、冷媒の蒸気を効率よく凝縮させることができる熱交換の効率性に優れた伝熱管を提供することができる。
【００１６】
上記課題を解決するために、本発明の伝熱管の製造方法は、伝熱管の内表面に、冷媒の流れ方向に凝縮した前記冷媒が集流される複数の親水性の集流部と、凝縮した前記冷媒の濡れ広がりを防止して前記集流部へ移動させる複数の撥水部と、を有し、前記集流部及び前記撥水部が、前記伝熱管の周方向に交互に配置されている伝熱管の製造方法であって、前記伝熱管の内表面に前記集流部のパターンを有する凸型のマスクを押し当てる集流部マスキング工程と、前記伝熱管の内表面の前記マスク以外の部分に撥水膜を形成する撥水部形成工程と、を備えた構成を有している。
【００１７】
これにより、伝熱管の内表面の集流部以外の部分に確実に撥水膜を形成することができ、集流部と撥水部のパターン形状が互いに重なることがない信頼性に優れた伝熱管の製造方法を提供することができる。
【００１８】
上記課題を解決するために、本発明の伝熱管を用いた凝縮器は、伝熱管の内表面に、冷媒の流れ方向に凝縮した前記冷媒が集流される複数の親水性の集流部と、凝縮した前記冷媒の濡れ広がりを防止して前記集流部へ移動させる複数の撥水部と、を有し、前記集流部及び前記撥水部が、前記伝熱管の周方向に交互に配置されている複数の伝熱管と、前記伝熱管の外表面に配設されたフィンと、を備えた構成を有している。
【００１９】
これにより、伝熱管が冷媒の凝縮性能と凝縮した冷媒の流通性能をバランス良く併せ持ち、電子機器等に取り付ける際に、取り付け方向の制約を受け難く、設置自在性に優れた凝縮器を提供することができる。
【発明の効果】
【００２０】
以上説明したように本発明の伝熱管とその製造方法、並びにその伝熱管を用いた凝縮器によれば、以下のような有利な効果が得られる。
【００２１】
伝熱管の内表面に、冷媒の流れ方向に凝縮した冷媒が集流される複数の親水性の集流部と、凝縮した前記冷媒の濡れ広がりを防止して前記集流部へ移動させる複数の撥水部と、を有し、前記集流部及び前記撥水部が、前記伝熱管の周方向に交互に配置されていることにより、撥水部で凝縮した冷媒は、互いが集まって大きくなり、かつ素早く移動して集流部に流れ込むために、撥水部を常に乾いた状態に保つことができると共に、集流部では凝集した冷媒が濡れ広がるので、凝縮した冷媒が伝熱管を閉塞することなく効率よく流通することができ、冷媒の蒸気を効率よく凝縮させることができる熱交換の効率性に優れた伝熱管を提供することができる。
【００２２】
集流部マスキング工程で伝熱管の内表面に集流部のパターンを有する凸型のマスクを押し当てた上で、撥水部形成工程で伝熱管の内表面のマスク以外の部分に撥水膜を形成することができるので、集流部と撥水部のパターン形状が互いに重なることがなく、生産性、信頼性に優れた伝熱管の製造方法を提供することができる。
【００２３】
冷媒の凝縮性能と凝縮した冷媒の流通性能をバランス良く併せ持つ複数の伝熱管を備え、伝熱管の外表面にフィンが配設されているので、電子機器等に取り付ける際に、取り付け方向の制約を受け難く、設置自在性に優れた凝縮器を提供することができる。
【発明を実施するための最良の形態】
【００２４】
本発明は、冷媒の凝縮性能と凝縮した冷媒の流通性能をバランス良く併せ持ち、しかも凝縮器を作製する際に、取り付け方向を気にする必要がない組み立て作業性に優れた伝熱管を提供するという目的を、伝熱管の内表面に、冷媒の流れ方向に凝縮した上記冷媒が集流される複数の親水性の集流部と、凝縮した上記冷媒の濡れ広がりを防止して上記集流部へ移動させる複数の撥水部が、上記伝熱管の周方向に交互に配置されていることにより実現した。
【００２５】
また、本発明は、冷媒の凝縮性能と凝縮した冷媒の流通性能をバランス良く併せ持つために必要な集水部及び撥水部を伝熱管内部に任意の形状で容易に形成することができる量産性に優れた伝熱管の製造方法を提供するという目的を、伝熱管の内表面に集流部のパターンを有する凸型のマスクを押し当てる集流部マスキング工程と、上記伝熱管の内表面の上記マスク以外の部分に撥水膜を形成する撥水部形成工程と、を備えることにより実現した。
【００２６】
さらに、本発明は、冷媒の蒸気を効率よく凝縮させることができ、電子機器等に取り付ける際に、取り付け方向の制約を受け難く、設置自在性に優れた凝縮器を提供するという目的を、伝熱管の内表面に、冷媒の流れ方向に凝縮した上記冷媒が集流される複数の親水性の集流部と、凝縮した上記冷媒の濡れ広がりを防止して上記集流部へ移動させる複数の撥水部が、上記伝熱管の周方向に交互に配置されている複数の伝熱管と、上記伝熱管の外表面に配設されたフィンと、を備えることにより実現した。
【００２７】
上記課題を解決するためになされた第１の発明は、外界流体にさらされ、内部を流れる冷媒を相変化させることにより上記外界流体と上記冷媒との間で熱交換を行う伝熱管であって、上記伝熱管の内表面に、上記冷媒の流れ方向に凝縮した上記冷媒が集流される複数の親水性の集流部と、凝縮した上記冷媒の濡れ広がりを防止して上記集流部へ移動させる複数の撥水部が、上記伝熱管の周方向に交互に配置されている構成を有している。
【００２８】
これにより、撥水部で凝縮した冷媒は、互いが集まって大きくなり、かつ素早く移動して集流部に流れ込むために、撥水部を常に乾いた状態に保つことができると共に、集流部では凝集した冷媒が薄く濡れ広がって流動するので、凝縮した冷媒が伝熱管を閉塞することなく効率よく流通することができ、冷媒の凝縮性能と凝縮した冷媒の流通性能をバランス良く併せ持ち、冷媒の蒸気を効率よく凝縮させることができるという作用を有する。
【００２９】
また、伝熱管の内表面の周方向に交互に配置された集流部と撥水部を有することにより、冷媒の凝縮性能と凝縮した冷媒の流通性能をバランス良く併せ持つことができるので、管周方向に溝部や山部などを形成する必要がなく量産性に優れるという作用を有する。
【００３０】
ここで、集流部と撥水部を伝熱管の内表面の周方向に交互に繰り返し形成することにより、伝熱管の取り付け方向（角度）によらず、複数の集流部の内の下側に位置する集流部で凝縮した冷媒を集流して伝熱管の上流から下流へ流動させることができるので、凝縮器に組み付ける際に、取り付け方向の確認作業が不要で、組み立て作業性に優れる。
【００３１】
集流部及び撥水部は、それぞれ伝熱管の内表面を所望のパターンで親水処理及び撥水処理することにより形成することができる。
【００３２】
親水処理剤としては、例えばパーヒドロポリシラザン、メチルシロキサン等の従来公知のものが好適に用いられ、撥水処理剤としては、ポリテトラフルオロエチレン、ポリシロキサン等の従来公知のものが好適に用いられる。特に、高温の熱処理や紫外線等の照射などが不要で耐久性に優れるものが量産性、長寿命性に優れ好ましい。
【００３３】
尚、親水処理剤及び撥水処理剤は、それぞれ冷媒の種類に応じて、適宜、選択することができる。
【００３４】
尚、伝熱管自身が親水性を有する材質で形成されている場合は、部分的に撥水処理のみを行って撥水部を形成し、それ以外の部分を集流部とすることもできる。
【００３５】
親水性を有する材質としては、Ｃｕ，Ｆｅ，Ａｌ，ステンレス，真鍮等の金属が好適に用いられる。
【００３６】
上記課題を解決するためになされた第２の発明は、第１の発明に記載の伝熱管であって、上記集流部が、上記伝熱管の軸方向に沿って一方の端から他方の端まで繋がって形成された主流部と、上記主流部の一側部又は両側部に延設して形成された１以上の副流部と、を備えている構成を有している。
【００３７】
これにより、凝縮した冷媒は、撥水部で撥水され副流部から主流部に導かれるので、凝縮した冷媒を主流部に集めながら、伝熱管の一方の端から他方の端まで確実に流動させることができ、凝縮した冷媒が伝熱管を閉塞することがなく、効率よく流通させることができ、冷媒の蒸気を効率よく凝縮させることができるという作用を有する。
【００３８】
また、凝縮した冷媒を複数の副流部により効率的に主流部に集水して伝熱管の上流側から下流側に連続的に流動させることができ、伝熱管の管周方向に溝部や山部などを形成する必要がなく量産性に優れるという作用を有する。
【００３９】
ここで、主流部及び副流部の幅、並びに副流部の長さは、伝熱管の管径や集流部の本数により、適宜、選択することができる。また、副流部の数や配置間隔も伝熱管の長さなどにより、適宜、選択することができる。
【００４０】
尚、副流部を主流部の両側部に設ける場合、副流部は主流部を中心に左右対称に配置してもよいし、主流部の左右で互い違いに配置してもよい。
【００４１】
上記課題を解決するためになされた第３の発明は、第２の発明に記載の伝熱管であって、上記副流部が、直線状に傾斜して形成されている構成を有している。
【００４２】
これにより、凝縮した冷媒を伝熱管の上流側から下流側に向かうように副流部に沿って速やかに移動させ、主流部に集水させることができるという作用を有する。
【００４３】
ここで、副流部は、主流部の上流側と鋭角をなすように傾斜していればよく、その傾斜角度は、集流部の数や配置間隔などにより、適宜、選択することができる。尚、副流部の幅は長さ方向に一定でもよいし、上流側から下流側に向かって幅広になるように形成してもよい。
【００４４】
上記課題を解決するためになされた第４の発明は、第２の発明に記載の伝熱管であって、上記副流部が、曲線状に形成されている構成を有している。
【００４５】
これにより、凝縮した冷媒を伝熱管の上流側から下流側に向かうように副流部に沿って速やかに移動させ、主流部に集水させることができるという作用を有する。
【００４６】
ここで、副流部は、円弧状などの曲線状に形成することができるが、凝縮した冷媒が副流部に沿って上流側から下流側に向かって速やかに流れる形状であればよい。尚、副流部の幅は長さ方向に一定でもよいし、上流側から下流側に向かって幅広になるように形成してもよい。
【００４７】
上記課題を解決するためになされた第５の発明は、第２の発明に記載の伝熱管であって、上記副流部が、上記主流部に傾斜して延設された傾斜部と、上記傾斜部に延設され上記主流部に平行に形成された平行部と、を備えている構成を有している。
【００４８】
これにより、主流部と主流部との間に主流部と平行な平行部が配置されるので、より多くの凝縮した冷媒を副流部から主流部に導いて集水することができ、冷媒の凝縮性能及び凝縮した冷媒の流通性能を向上させることができるという作用を有する。
【００４９】
上記課題を解決するためになされた第６の発明は、第１乃至第５の発明の内いずれか１項の発明に記載の伝熱管であって、前記主流部の上流側と、前記副流部と、のなす角度が、鋭角である構成を有している。
【００５０】
これにより、副流部で凝縮した冷媒を上流側から下流側へ向かって一方向に移動させ、確実に主流部に導いて集水することができ、冷媒の蒸気を効率よく凝縮させることができるという作用を有する。
【００５１】
上記課題を解決するためになされた第７の発明は、第１乃至第６の発明の内いずれか１項の発明に記載の伝熱管であって、上記主流部が、管軸方向に平行な直線形状に形成されている構成を有している。
【００５２】
これにより、冷媒を伝熱管の上流側から下流側に連続的に流すことができ、冷媒の凝縮性能及び凝縮した冷媒の流通性能の信頼性に優れるという作用を有する。
【００５３】
上記課題を解決するためになされた第８の発明は、第１乃至第６の発明の内いずれか１項の発明に記載の伝熱管であって、上記主流部が、波線形状に形成されている構成を有している。
【００５４】
これにより、冷媒を伝熱管の上流側から下流側に連続的に流すことができ、冷媒の凝縮性能及び凝縮した冷媒の流通性能の信頼性に優れるという作用を有する。
【００５５】
上記課題を解決するためになされた第９の発明は、第１乃至第６の発明の内いずれか１項の発明に記載の伝熱管であって、上記主流部が、螺旋形状に形成されている構成を有している。
【００５６】
これにより、伝熱管の取り付け方向（角度）によらず、冷媒を伝熱管の上流側から下流側に連続的に流すことができ、冷媒の凝縮性能及び凝縮した冷媒の流通性能の信頼性に優れるという作用を有する。
【００５７】
上記課題を解決するためになされた第１０の発明は、第１乃至第９の発明の内いずれか１項の発明に記載の伝熱管であって、上記集流部が、上記伝熱管の内表面の周方向に少なくとも３本形成されている構成を有している。
【００５８】
これにより、伝熱管の取り付け方向（角度）によらず、冷媒の凝縮性能及び凝縮した冷媒の流通性能を有効に発揮させることができ、凝縮器に組み付ける際の組み立て作業性に優れるという作用を有する。
【００５９】
ここで、伝熱管の内表面の周方向に少なくとも３本の集流部を形成することにより、親水性の集流部の少なくとも１本が伝熱管の下側半分に配置される様になり、凝縮器に組み付ける際に、集流部の位置を確認する作業が必要なく生産性に優れると共に、完成した凝縮器の取り付けの自由度を向上させることができ汎用性に優れる。集流部の数は、伝熱管の管径や集流部のパターンの寸法や形状などによって適宜、選択することができるが、３本乃至１０本が好ましい。集流部の数が、３本より少なくなるにつれ、伝熱管の取り付け方向（角度）によっては集流部が伝熱管の下側に配置されなくなり、凝縮した冷媒を集流して速やかに伝熱管の上流から下流へ流動させることが困難になる傾向があり、１０本より多くなるにつれ、集流部が密になって副流部を形成し難くなり、集流部のパターンが制約を受け易くなると共に、冷媒の凝縮性能と凝縮した冷媒の流通性能とのバランスを保つことが困難になる傾向がある。尚、集流部（主流部）の幅を調整することにより、１０本以上形成することもできる。
【００６０】
上記課題を解決するためになされた第１１の発明は、第１乃至第１０の発明の内いずれか１項の発明に記載の伝熱管であって、上記撥水部が、撥水膜で形成されている構成を有している。
【００６１】
これにより、親水性の材質で形成された伝熱管或いは内表面の全面が親水処理された伝熱管の内表面に所望のパターンで撥水膜を形成するだけで、簡便かつ確実に親水性を有する集流部と撥水性を有する撥水部を形成することができ生産性に優れるという作用を有する。
【００６２】
ここで、伝熱管の材質、親水処理剤及び撥水処理剤については、第１の発明で説明した通りである。
【００６３】
上記課題を解決するためになされた第１２の発明は、第１１の発明に記載の伝熱管であって、上記集流部が、親水膜で形成されている構成を有している。
【００６４】
これにより、伝熱管の内表面に所望のパターンで親水膜を形成することができ、集流部の親水性を向上させ、冷媒の流通性能をさらに高めることができるという作用を有する。
【００６５】
上記課題を解決するためになされた第１３の発明は、第１１又は１２の発明に記載の伝熱管であって、上記集流部を形成する上記親水膜及び上記撥水部を形成する上記撥水膜が、それぞれ０．１μｍ〜０．５μｍの膜厚を備えている構成を有している。
【００６６】
これにより、伝熱管の熱伝導度の低下を招くことなく、確実に集流部及び撥水部を形成することができ、凝縮した冷媒の流通性能と冷媒の凝縮性能をバランス良く併せ持つことができるという作用を有する。
【００６７】
ここで、親水膜及び撥水膜の膜厚が０．１μｍよりも薄くなるにつれ、伝熱管の内表面を親水膜及び撥水膜で斑なく完全に覆うことが困難になり、冷媒の凝縮性能と凝縮した冷媒の流通性能が不十分となる傾向があり、また、膜厚が０．５μｍよりも厚くなるにつれ、膜形成に伴う熱伝導度の低下の影響が大きくなり、熱交換器としての性能が低下し易くなる傾向があり、いずれも好ましくない。
【００６８】
上記課題を解決するためになされた第１４の発明は、第１１の発明に記載の伝熱管であって、上記撥水膜及び上記親水膜の少なくともいずれか一方が、シリコーンレジン系の材料で形成されている構成を有している。
【００６９】
これにより、伝熱管の内表面に所定の形状の撥水部や集流部を容易に形成することができ、また材料の樹脂分の濃度を調整することにより、膜厚を容易に制御することができ量産性に優れるという作用を有する。
【００７０】
ここで、シリコーンレジンは三次元化したシロキサン結合を主骨格とするため、高硬度で耐候性、難燃性に優れた被膜を形成でき、有機置換基の効果により撥水性、親水性のいずれの機能でも付与することができる。
【００７１】
上記課題を解決するためになされた第１５の発明は、伝熱管の内表面に、冷媒の流れ方向に凝縮した上記冷媒が集流される親水性の集流部と、凝縮した上記冷媒を撥水する撥水部と、を有する伝熱管の製造方法であって、上記伝熱管の内表面に上記集流部のパターンを有する凸型のマスクを押し当てる集流部マスキング工程と、上記伝熱管の内表面の上記マスク以外の部分に撥水膜を形成する撥水部形成工程と、を備えている構成を有している。
【００７２】
これにより、集流部マスキング工程で、親水性の材質で形成された伝熱管或いは内表面の全面が親水処理された伝熱管の内表面を集流部のパターンを有する凸型のマスクで覆った上で、撥水部形成工程で簡便かつ確実に集流部以外の部分に撥水膜を形成することができ、集流部と撥水部を併せ持つ伝熱管の量産性に優れるという作用を有する。
【００７３】
上記課題を解決するためになされた第１６の発明は、第１５の発明に記載の伝熱管の製造方法であって、上記伝熱管の内表面に上記撥水部のパターンを有する凸型のマスクを押し当てる撥水部マスキング工程と、上記伝熱管の内表面の上記マスク以外の部分に親水膜を形成する集流部形成工程と、を備えている構成を有している。
【００７４】
これにより、撥水部マスキング工程で、伝熱管の内表面を撥水部のパターンを有する凸型のマスクで覆った上で、集流部形成工程で簡便かつ確実に撥水部以外の部分に親水膜を形成して集流部の親水性を向上させることができ、冷媒の流通性能に優れた伝熱管を製造することができるという作用を有する。
【００７５】
ここで、撥水部を前述の集流部マスキング工程と撥水部形成工程で形成し、集流部を撥水部マスキング工程と集流部形成工程で形成する場合、いずれを先に行ってもよい。
【００７６】
上記課題を解決するためになされた第１７の発明は、第１５又は１６の発明に記載の伝熱管の製造方法であって、上記集流部マスキング工程又は上記撥水部マスキング工程が、上記伝熱管よりも小さな管径を有し１つ以上の上記凸型のマスクが半径方向に摺動自在に保持されたマスク保持具を上記伝熱管の内部に挿通するマスク挿通工程と、上記マスク保持具の中空部に上記マスク保持具の内径よりも外径の小さな押圧部材を挿通し上記凸型のマスクを上記伝熱管の内表面に押し当てて密着させるマスク密着工程と、を備えている構成を有している。
【００７７】
これにより、マスク挿通工程でマスク保持具を伝熱管の内部に挿通して凸型のマスクを所定の位置に固定した上で、マスク密着工程でマスク保持具の中空部に押圧部材を挿通してマスクを伝熱管の内表面に押し当てて確実に密着させることができ、所定の位置に同時に複数の集流部及び撥水部を精度よく形成することができ量産性に優れるという作用を有する。
【００７８】
ここで、マスク保持具が伝熱管と同等の長さを有し、その全長に渡って凸型のマスクが配設されている場合、一度の作業で伝熱管の全長に撥水部となる撥水膜や集流部となる親水膜を形成することができ量産性に優れる。
【００７９】
マスク保持具はその半径方向に摺動自在にマスクを保持することができるものであればよい。例えば、マスク保持具の長手方向に１乃至複数の固定孔を穿設し、その固定孔にマスクの基部を挿通してマスク保持具の内側に突出させておく。マスク保持具の中空部に円柱状又は円筒状などの押圧部材を挿通することにより、基部を外方に押圧してマスクを摺動させることができ、マスクの表面を伝熱管の内表面に密着させることができる。このとき、基部とマスク保持具の内表面との間にバネを配設しておけば、撥水部形成工程及び集流部形成工程の終了後に押圧部材を引き抜くだけで、バネの復元力によりマスクが初期位置に復帰するので施工性に優れる。
【００８０】
上記課題を解決するためになされた第１８の発明は、凝縮器であって、請求項１乃至１４の内いずれか１項に記載の複数の伝熱管と、上記伝熱管の外表面に配設されたフィンと、を備えている構成を有している。
【００８１】
これにより、伝熱管の向きによらず冷媒の凝縮性能と凝縮した冷媒の流通性能をバランス良く併せ持っているので、電子機器等に取り付ける際に、取り付け方向の制約を受け難く、設置の自由度を高くすることができるという作用を有する。
【００８２】
（実施の形態１）
以下、本発明の実施の形態について、各図に基づいて説明する。
【００８３】
図１（ａ）は本発明の実施の形態１における伝熱管を示す断面図であり、図１（ｂ）は本発明の実施の形態１における伝熱管の平面展開図である。
【００８４】
図１中、実施の形態１における伝熱管１の管壁２の内表面の周方向には、所定のピッチで３本の親水性の集流部３が形成されている。
【００８５】
集流部３は伝熱管１の軸方向に沿って一方の端から他方の端まで繋がった管軸方向に平行で直線状に形成された主流部４と、主流部４の一側部に直線状に傾斜して延設して形成された複数本の副流部５を有している。
【００８６】
また、集流部３以外の部分は、撥水性を有する撥水部６が形成されている。
【００８７】
図１（ａ）に示すように、断面で見ると、伝熱管１の周方向に集流部３と撥水部６が交互に繰り返し配置された形となっている。
【００８８】
伝熱管１の内表面の周方向に少なくとも３本の集流部３を形成することにより、伝熱管の取り付け方向（角度）によらず、親水性の集流部３の少なくとも１本が伝熱管１の下側半分に配置される様になり、凝縮器に組み付ける際に、集流部３の位置を確認する作業が必要なく生産性に優れると共に、完成した凝縮器の取り付けの自由度を向上させることができ汎用性に優れる。
【００８９】
集流部３及び撥水部６は、それぞれ伝熱管１の内表面を所望のパターンで親水処理及び撥水処理することにより形成することができる。
【００９０】
伝熱管１の材質は、銅であり、親水処理剤として、ポリシラザンＮＬ１２０Ａ（ＡＺエレクトロニックマテリアルズ（株）製）、撥水処理剤として、ＳＲ２４１１（東レ・ダウコーニング（株）製）を用いた。
【００９１】
集流部３を形成する親水膜及び撥水部６を形成する撥水膜の膜厚は、それぞれ０．１μｍ〜０．５μｍとした。親水膜及び撥水膜の膜厚が０．１μｍよりも薄くなるにつれ、伝熱管１の内表面を親水膜及び撥水膜で斑なく完全に覆うことが困難になり、冷媒の凝縮性能と凝縮した冷媒の流通性能が不十分となる傾向があり、また、膜厚が０．５μｍよりも厚くなるにつれ、膜形成に伴う熱伝導度の低下の影響が大きくなり、熱交換器としての性能が低下し易くなる傾向があることがわかったためである。
【００９２】
親水膜及び撥水膜の膜厚を０．１μｍ〜０．５μｍとしたことにより、伝熱管１の熱伝導度の低下を招くことなく、確実に集流部３及び撥水部６を形成することができ、凝縮した冷媒の流通性能と冷媒の凝縮性能をバランス良く併せ持つことができる。
【００９３】
撥水部６で凝縮した冷媒は、互いが集まって大きくなり、かつ素早く移動して集流部３に流れ込み、撥水部６を常に乾いた状態に保つことができると共に、集流部では凝集した冷媒が薄い液膜となって濡れ広がり、集流部３を速やかに流動するので、凝縮した冷媒が伝熱管１を閉塞することなく効率よく流通することができ、冷媒の凝縮性能と凝縮した冷媒の流通性能をバランス良く併せ持ち、冷媒の蒸気を効率よく凝縮させることができる。
【００９４】
また、凝縮した冷媒は、撥水部６で撥水され副流部５から主流部４に導かれるので、凝縮した冷媒を主流部４に集めながら、伝熱管１の一方の端から他方の端まで確実に流動させることができ、凝縮した冷媒が伝熱管１を閉塞することがなく、効率よく流通させることができ、冷媒の蒸気を効率よく凝縮させることができる。
【００９５】
凝縮した冷媒を複数の副流部５により効率的に主流部４に集水して伝熱管１の上流側から下流側に連続的に流動させることができるので、伝熱管１の管周方向に溝部や山部などを形成する必要がなく量産性に優れる。
【００９６】
また、主流部４の上流側と副流部５とのなす角度θが鋭角となるように、副流部５が直線状に傾斜して形成されているので、凝縮した冷媒を伝熱管１の上流側から下流側に向かうように副流部５に沿って速やかに移動させ、主流部４に集水させることができ、冷媒の蒸気を効率よく凝縮させることができる。
【００９７】
次に、実施の形態１における伝熱管の製造方法について説明する。
【００９８】
図２は本発明の実施の形態１における伝熱管の製造方法を示す要部断面図である。
【００９９】
まず、図２（ａ）に示すように、集流部マスキング工程又は撥水部マスキング工程のマスク挿通工程において、集流部３又は撥水部６のパターンに形成された３つの凸型のマスク１１を伝熱管１よりも小さな管径を有するマスク保持具１０に半径方向に摺動自在に保持し、伝熱管１の内部に挿通する。
【０１００】
次に、図２（ｂ）に示すように、集流部マスキング工程又は撥水部マスキング工程のマスク密着工程において、マスク保持具１０の中空部にマスク保持具１０の内径よりも管径の小さな円筒状の押圧部材１２を挿通し、凸型のマスク１１の基部に配設された傾斜状の当接部１１ａを外方に押圧してマスク１１を半径方向に摺動させ、その表面を伝熱管の内表面に押し当てて密着させる。当接部１１ａの上面を外周側が高く、内周側が低い傾斜状に形成することにより、押圧部材１２の下端が当接部１１ａに引っ掛かることがなく、当接部１１ａと共にマスク１１をスムーズかつ確実に半径方向（外方）に移動させることができる。
【０１０１】
次に、撥水部形成工程又は集流部形成工程において、伝熱管１の内表面のマスク１１以外の部分に撥水処理剤又は親水処理剤を塗布し、熱処理などを行うことにより、撥水膜又は親水膜を容易に形成することができる。
【０１０２】
集流部マスキング工程及び撥水部形成工程と、撥水部マスキング工程及び集流部形成工程の両方を行うことにより、集流部３及び撥水部６のそれぞれを親水膜及び撥水膜で形成することができる。尚、集流部３及び撥水部６はいずれを先に形成してもよい。集流部マスキング工程及び撥水部マスキング工程の位置合わせは、例えば伝熱管１に形成した切り欠きと、マスク保持具１０に設けた凸部を位置合わせして行うことができる。これにより、集流部３及び撥水部６の位置ずれを防止できる。
【０１０３】
マスクの材質としては、シリコーン樹脂やポリエチレンテレフタレート樹脂等が好適に用いられる。
【０１０４】
尚、撥水膜及び親水膜の形成方法は、本実施の形態に限定されるものではなく、例えば凸型のマスク１１の表面に撥水処理剤又は親水処理剤を塗布しておき、それを伝熱管１の内表面に転写するようにして形成することもできる。
【０１０５】
本実施の形態では、集流部３及び撥水部６のそれぞれを親水膜及び撥水膜で形成したが、伝熱管１が親水性の材質で形成されている場合や伝熱管１の内表面の全面が親水処理されている場合は、伝熱管１の内表面に所望のパターンで撥水膜を形成するだけで、簡便かつ確実に親水性を有する集流部３と撥水性を有する撥水部６を形成することができ生産性に優れる。このとき、さらに撥水部６以外の部分に親水膜を形成すれば、集流部３の親水性を向上させ、冷媒の流通性能をさらに高めることができる。
【０１０６】
尚、集流部３の数は本実施の形態に限定されるものではなく、伝熱管１の管径や集流部３のパターンの寸法や形状などによって、適宜、選択することができるが、集流部３の数が、３本より少なくなるにつれ、伝熱管１の取り付け方向（角度）によっては集流部３が伝熱管１の下側に配置されなくなり、凝縮した冷媒を集流して速やかに伝熱管の上流から下流へ流動させることが困難になる傾向があり好ましくない。
【０１０７】
次に、本発明の実施の形態１における伝熱管を用いた凝縮器について説明する。
【０１０８】
図３は本発明の実施の形態１における伝熱管を用いた凝縮器を示す要部断面図である。
【０１０９】
図３において、凝縮器２０には複数の伝熱管１が配列され、伝熱管１の両端側にそれぞれ流入側ヘッダー２１と流出側ヘッダー２２が連結され、伝熱管１の外表面には複数のフィン２３が配設されている。冷媒の蒸気は流入側ヘッダー２１を介して伝熱管１内に流入し、伝熱管１内部の撥水部６上で凝縮し、集流部３へ流れ込んで流出側ヘッダー２２に集められる。
【０１１０】
伝熱管１の向きによらず冷媒の凝縮性能と凝縮した冷媒の流通性能をバランス良く併せ持っているので、電子機器等に取り付ける際に、取り付け方向の制約を受け難く、設置の自由度を高くすることができる。
【０１１１】
（実施の形態２）
図４は本発明の実施の形態２における伝熱管を示す平面展開図である。
【０１１２】
図４において、実施の形態２における伝熱管が実施の形態１と異なるのは、集流部３ａが、主流部４の両側部に直線状に傾斜して延設して形成された複数本の副流部５を有している点である。
【０１１３】
主流部４の両側部に副流部５が形成されていることにより、実施の形態１よりも、さらに効率的に凝縮した冷媒を副流部５から主流部４に集水することができる。
【０１１４】
（実施の形態３）
図５は本発明の実施の形態３における伝熱管を示す平面展開図である。
【０１１５】
図５において、実施の形態３における伝熱管が実施の形態１と異なるのは、集流部３ｂの副流部５ａが、主流部４に傾斜して延設された傾斜部５ｂと、傾斜部５ｂに延設され主流部４に平行に形成された平行部５ｃと、を有する点である。
【０１１６】
主流部４と主流部４との間に主流部４と平行な平行部５ｃが配置されるので、実施の形態１よりも、より多くの凝縮した冷媒を副流部５ａから主流部４に導いて集水することができ、冷媒の凝縮性能及び凝縮した冷媒の流通性能を向上させることができる。
【０１１７】
（実施の形態４）
図６は本発明の実施の形態４における伝熱管を示す平面展開図である。
【０１１８】
図６において、実施の形態４における伝熱管が実施の形態３と異なるのは、集流部３ｃの主流部４の両側部に実施の形態３と同様の副流部５ａが形成されている点である。
【０１１９】
主流部４の両側部に副流部５ａが形成されていることにより、実施の形態３よりも、さらに効率的に凝縮した冷媒を副流部５ａから主流部４に集水することができる。
【０１２０】
（実施の形態５）
図７は本発明の実施の形態５における伝熱管を示す平面展開図である。
【０１２１】
図７において、実施の形態５における伝熱管が実施の形態１と異なるのは、集流部３ｄの副流部５ｄが、略円弧状の曲線状に形成されている点である。
【０１２２】
副流部５ｄが略円弧状の曲線状に形成されていることにより、凝縮した冷媒を伝熱管１の上流側から下流側に向かうように副流部５ｄに沿って速やかに移動させ、主流部３ｄに集水させることができる。
【０１２３】
（実施の形態６）
図８は本発明の実施の形態６における伝熱管を示す平面展開図である。
【０１２４】
図８において、実施の形態６における伝熱管が実施の形態５と異なるのは、集流部３ｅの主流部４の両側部に実施の形態５と同様の副流部５ｄが形成されている点である。
【０１２５】
主流部４の両側部に副流部５ｄが形成されていることにより、実施の形態５よりも、さらに効率的に凝縮した冷媒を副流部５ｄから主流部４に集水することができる。
【０１２６】
（実施の形態７）
図９は本発明の実施の形態７における伝熱管を示す平面展開図である。
【０１２７】
図９において、実施の形態７における伝熱管が実施の形態１と異なるのは、集流部３ｆの主流部４ａが、波線形状に形成されている点である。
【０１２８】
主流部４ａが波線形状であることにより、冷媒を伝熱管１の上流側から下流側に連続的に流すことができ、冷媒の凝縮性能及び凝縮した冷媒の流通性能の信頼性に優れる。
【０１２９】
（実施の形態８）
図１０は本発明の実施の形態８における伝熱管を示す平面展開図である。
【０１３０】
図１０において、実施の形態８における伝熱管が実施の形態７と異なるのは、集流部３ｇの主流部４ａの両側部に実施の形態７と同様の副流部５が形成されている点である。
【０１３１】
主流部４ａの両側部に副流部５が形成されていることにより、実施の形態７よりも、さらに効率的に凝縮した冷媒を副流部５から主流部４ａに集水することができる。
【０１３２】
（実施の形態９）
図１１は本発明の実施の形態９における伝熱管を示す平面展開図である。
【０１３３】
図１１において、実施の形態９における伝熱管が実施の形態３と異なるのは、集流部３ｈの主流部４ａが、波線形状に形成されている点である。
【０１３４】
主流部４ａが波線形状であることにより、冷媒を伝熱管１の上流側から下流側に連続的に流すことができ、冷媒の凝縮性能及び凝縮した冷媒の流通性能の信頼性に優れる。
【０１３５】
（実施の形態１０）
図１２は本発明の実施の形態１０における伝熱管を示す平面展開図である。
【０１３６】
図１２において、実施の形態１０における伝熱管が実施の形態９と異なるのは、集流部３ｉの主流部４ａの両側部に実施の形態９と同様の副流部５ａが形成されている点である。
【０１３７】
主流部４ａの両側部に副流部５ａが形成されていることにより、実施の形態９よりも、さらに効率的に凝縮した冷媒を副流部５ａから主流部４ａに集水することができる。
【０１３８】
（実施の形態１１）
図１３は本発明の実施の形態１１における伝熱管を示す平面展開図である。
【０１３９】
図１３において、実施の形態１１における伝熱管が実施の形態５と異なるのは、集流部３ｊの主流部４ａが、波線形状に形成されている点である。
【０１４０】
主流部４ａが波線形状であることにより、冷媒を伝熱管１の上流側から下流側に連続的に流すことができ、冷媒の凝縮性能及び凝縮した冷媒の流通性能の信頼性に優れる。
【０１４１】
（実施の形態１２）
図１４は本発明の実施の形態１２における伝熱管を示す平面展開図である。
【０１４２】
図１４において、実施の形態１２における伝熱管が実施の形態１１と異なるのは、集流部３ｋの主流部４ａの両側部に実施の形態１０と同様の副流部５ｄが形成されている点である。
【０１４３】
主流部４ａの両側部に副流部５ｄが形成されていることにより、実施の形態１１よりも、さらに効率的に凝縮した冷媒を副流部５ｄから主流部４ａに集水することができる。
【０１４４】
（実施の形態１３）
図１５は本発明の実施の形態１３における伝熱管を示す平面展開図である。
【０１４５】
図１５において、実施の形態１３における伝熱管が実施の形態１と異なるのは、集流部３ｌの主流部４ｂが、平面に展開した状態で管軸に対して傾斜して形成され、伝熱管１の内表面に螺旋形状に配置されている点である。
【０１４６】
主流部４ｂが螺旋形状に配置されることにより、伝熱管１の取り付け方向（角度）によらず、冷媒を伝熱管１の上流側から下流側に連続的に流すことができ、冷媒の凝縮性能及び凝縮した冷媒の流通性能の信頼性に優れる。
【０１４７】
（実施の形態１４）
図１６は本発明の実施の形態１４における伝熱管を示す平面展開図である。
【０１４８】
図１６において、実施の形態１４における伝熱管が実施の形態１３と異なるのは、集流部３ｍの主流部４ｂの両側部に実施の形態１３と同様の副流部５が形成されている点である。
【０１４９】
主流部４ｂの両側部に副流部５が形成されていることにより、実施の形態１３よりも、さらに効率的に凝縮した冷媒を副流部５から主流部４ｂに集水することができる。
【０１５０】
（実施の形態１５）
図１７は本発明の実施の形態１５における伝熱管を示す平面展開図である。
【０１５１】
図１７において、実施の形態１５における伝熱管が実施の形態３と異なるのは、集流部３ｎの主流部４ｂが、平面に展開した状態で管軸に対して傾斜して形成され、伝熱管１の内表面に螺旋形状に配置されている点である。
【０１５２】
主流部４ｂが螺旋形状に配置されることにより、伝熱管１の取り付け方向（角度）によらず、冷媒を伝熱管１の上流側から下流側に連続的に流すことができ、冷媒の凝縮性能及び凝縮した冷媒の流通性能の信頼性に優れる。
【０１５３】
（実施の形態１６）
図１８は本発明の実施の形態１６における伝熱管を示す平面展開図である。
【０１５４】
図１８において、実施の形態１６における伝熱管が実施の形態１５と異なるのは、集流部３ｏの主流部４ｂの両側部に実施の形態１５と同様の副流部５ａが形成されている点である。
【０１５５】
主流部４ｂの両側部に副流部５ａが形成されていることにより、実施の形態１５よりも、さらに効率的に凝縮した冷媒を副流部５ａから主流部４ｂに集水することができる。
【０１５６】
（実施の形態１７）
図１９は本発明の実施の形態１７における伝熱管を示す平面展開図である。
【０１５７】
図１９において、実施の形態１７における伝熱管が実施の形態５と異なるのは、集流部３ｐの主流部４ｂが、平面に展開した状態で管軸に対して傾斜して形成され、伝熱管１の内表面に螺旋形状に配置されている点である。
【０１５８】
主流部４ｂが螺旋形状に配置されることにより、伝熱管１の取り付け方向（角度）によらず、冷媒を伝熱管１の上流側から下流側に連続的に流すことができ、冷媒の凝縮性能及び凝縮した冷媒の流通性能の信頼性に優れる。
【０１５９】
（実施の形態１８）
図２０は本発明の実施の形態１８における伝熱管を示す平面展開図である。
【０１６０】
図２０において、実施の形態１８における伝熱管が実施の形態１７と異なるのは、集流部３ｑの主流部４ｂの両側部に実施の形態１７と同様の副流部５ｄが形成されている点である。
【０１６１】
主流部４ｂの両側部に副流部５ｄが形成されていることにより、実施の形態１７よりも、さらに効率的に凝縮した冷媒を副流部５ｄから主流部４ｂに集水することができる。
【０１６２】
以下、本発明を実施例により具体的に説明する。
【０１６３】
（実施例１）
実施の形態１で説明した伝熱管１について、集流部３を形成する親水膜の膜厚と、撥水部６を形成する撥水膜の膜厚が、熱伝達率へ与える影響を調べた。
【０１６４】
図２１は、親水膜及び撥水膜の膜厚と熱抵抗との関係を示す図である。
【０１６５】
図２１から明らかなように、親水膜及び撥水膜の膜厚が０．１μｍ〜０．５μｍの範囲では熱抵抗が低減されているが、膜厚が０．１μｍよりも薄い場合と膜厚が０．５μｍよりも厚い場合には、親水膜及び撥水膜を形成しないとき（膜厚０に相当）と同等以上に熱抵抗が上昇しており、熱伝達率が低下していることがわかった。
【産業上の利用可能性】
【０１６６】
本発明の伝熱管は、冷媒の凝縮性能と凝縮した冷媒の流通性能をバランス良く併せ持つため、凝縮器としてはもちろんであるが、冷媒の蒸発と凝縮とを繰り返すことで熱を移動させるヒートパイプにも利用できる。また、集流部と撥水部の構成比率を変化させることで蒸発器としても利用できる。
【図面の簡単な説明】
【０１６７】
【図１】（ａ）本発明の実施の形態１における伝熱管を示す断面図、（ｂ）本発明の実施の形態１における伝熱管の平面展開図
【図２】（ａ）本発明の実施の形態１における伝熱管の製造方法を示す要部断面図、（ｂ）本発明の実施の形態１における伝熱管の製造方法を示す要部断面図
【図３】本発明の実施の形態１における伝熱管を用いた凝縮器を示す要部断面図
【図４】本発明の実施の形態２における伝熱管を示す平面展開図
【図５】本発明の実施の形態３における伝熱管を示す平面展開図
【図６】本発明の実施の形態４における伝熱管を示す平面展開図
【図７】本発明の実施の形態５における伝熱管を示す平面展開図
【図８】本発明の実施の形態６における伝熱管を示す平面展開図
【図９】本発明の実施の形態７における伝熱管を示す平面展開図
【図１０】本発明の実施の形態８における伝熱管を示す平面展開図
【図１１】本発明の実施の形態９における伝熱管を示す平面展開図
【図１２】本発明の実施の形態１０における伝熱管を示す平面展開図
【図１３】本発明の実施の形態１１における伝熱管を示す平面展開図
【図１４】本発明の実施の形態１２における伝熱管を示す平面展開図
【図１５】本発明の実施の形態１３における伝熱管を示す平面展開図
【図１６】本発明の実施の形態１４における伝熱管を示す平面展開図
【図１７】本発明の実施の形態１５における伝熱管を示す平面展開図
【図１８】本発明の実施の形態１６における伝熱管を示す平面展開図
【図１９】本発明の実施の形態１７における伝熱管を示す平面展開図
【図２０】本発明の実施の形態１８における伝熱管を示す平面展開図
【図２１】親水膜及び撥水膜の膜厚と熱抵抗との関係を示す図
【符号の説明】
【０１６８】
１    伝熱管
２    管壁
３，３ａ，３ｂ，３ｃ，３ｄ，３ｅ，３ｆ，３ｇ，３ｈ，３ｉ，３ｊ，３ｋ，３ｌ，３ｍ，３ｎ，３ｏ，３ｐ    集流部
４，４ａ，４ｂ    主流部
５，５ａ，５ｄ    副流部
５ｂ    傾斜部
５ｃ    平行部
６    撥水部
７    主流部
８    副流部
１０    マスク保持具
１１    マスク
１１ａ    当接部
１２    押圧部材
２０    凝縮器
２１    流入側ヘッダー
２２    流出側ヘッダー
２３    フィン
【図１】
2007333222.tif 000003
【図２】
2007333222.tif 000004
【図３】
2007333222.tif 000005
【図４】
2007333222.tif 000006
【図５】
2007333222.tif 000007
【図６】
2007333222.tif 000008
【図７】
2007333222.tif 000009
【図８】
2007333222.tif 000010
【図９】
2007333222.tif 000011
【図１０】
2007333222.tif 000012
【図１１】
2007333222.tif 000013
【図１２】
2007333222.tif 000014
【図１３】
2007333222.tif 000015
【図１４】
2007333222.tif 000016
【図１５】
2007333222.tif 000017
【図１６】
2007333222.tif 000018
【図１７】
2007333222.tif 000019
【図１８】
2007333222.tif 000020
【図１９】
2007333222.tif 000021
【図２０】
2007333222.tif 000022
【図２１】
2007333222.tif 000023